(57)【特許請求の範囲】
【請求項１】
遊技盤を支承する下縁部と該遊技盤の側面に接触ないし接近して該遊技盤の左右方向の移動を規制する側縁部とを有して前記下縁部および側縁部を含む内枠部の内側に前記遊技盤を収納するプラスチック製の収納枠と、
該収納枠の前面に開閉自在に装着されて前記遊技盤を覆う透明板を保持するガラス枠と、
遊技球を貯留する上皿を有し前記ガラス枠の下方にて前記収納枠に対して開閉自在な皿扉と、
遊技球を貯留する下皿を有し前記皿扉の下方にて前記収納枠に固着された下皿部材と、
前記収納枠の背面側に装着されて前記遊技盤の前面側に形成される遊技領域に放出された遊技球の挙動により入賞が成立した際に設定数の遊技球を賞球として排出する賞球払出装置と、
前記収納枠に設けられて前記賞球払出装置から排出された賞球を誘導する賞球排出通路とを備える遊技機において、
前記賞球排出通路に、前記側縁部の外側に配されて前記賞球払出装置から排出された賞球を前記収納枠の背面側から前面側へ導く横断部と、該横断部に接続され前記側縁部に沿って下降し且つ前面側を透明材で形成された誘導部とを設け、該横断部の一部を前記収納枠の背面側の前記賞球払出装置付近に突出形成してその上端を前記賞球払出装置から排出された前記賞球の入口となし、
脚部と腕部とからなる倒立Ｌ字状で前記誘導部を通過した賞球が流入する分配室と、
前記皿扉に設けられ、底面と３側面を有して上部および１側面が開口し、前記側面の開口で前記上皿への遊技球の出口となる上皿出口に連通し、前記皿扉を閉じた状態では前記上部の開口が前記腕部内に達して前記誘導部を通過して分配室に流入した賞球を受け容れる受球部材と、
前記上皿に遊技球が多量に貯留されて前記受球部材内までが遊技球で満たされたときに前記誘導部から前記分配室に放出されたが、該受球部材を満たしている賞球により該受球部材への進入を阻まれて前記脚部へ落下した賞球を前記脚部から流出させる下皿排出路と、
該下皿排出路の下方に位置して前記収納枠に設けられた傾斜面と、
前記下皿への遊技球の出口となる下皿出口に連通していて、前記傾斜面を転動してきた賞球が流入する下皿誘導路とを備え、
前記賞球排出通路は、前記突出部分を除いては前記収納枠の背面側には配されておらず、
前記分配室、前記傾斜面及び前記下皿誘導路が前記収納枠の前面側に設けられている
ことを特徴とする遊技機。
【発明の詳細な説明】
【０００１】
【産業上の利用分野】
本発明は、パチンコ機等の遊技機に関し、詳しくは賞球排出通路の配置と材料の改良に関する。
【０００２】
【従来の技術】
従来、例えばパチンコ機やアレンジボール式遊技機（アレパチ）等の鋼製の遊技球を使用する遊技機は、外殻となると共に遊技機を遊技機設置島（以下単に島という）に取り付けるためにも使用される外枠、蝶番を介して外枠に装着された前枠、遊技盤の裏側に配されて入賞球、アウト球や賞球の通路、賞球払出機構、各種の制御を行うための制御基盤等が設けられた裏機構板、金枠を介して前枠に装着されたガラス枠、上皿を有する皿扉、前枠に固定された下皿等が備えられていた。
【０００３】
【発明が解決しようとする課題】
しかしながら、従来の遊技機では、入賞球、アウト球や賞球の通路が裏機構板の背面側に配されていたので、背面側における制御基板などの部品配置の自由度が低かった。また、遊技球用の通路を迂回して配線しなければならなかった。或いは、例えば賞球排出のための通路に玉詰まり等の障害が発生した場合、その障害を特定するためには裏機構板を含む機体全体を開ける必要があった。このような作業に際しては遊技者に一時的な退席を求めなければならず、遊技の興趣を損なうことがあった。
【０００４】
【課題を解決するための手段】
上記課題を解決するための請求項１記載の遊技機は、
遊技盤を支承する下縁部と該遊技盤の側面に接触ないし接近して該遊技盤の左右方向の移動を規制する側縁部とを有して前記下縁部および側縁部を含む内枠部の内側に前記遊技盤を収納するプラスチック製の収納枠と、
該収納枠の前面に開閉自在に装着されて前記遊技盤を覆う透明板を保持するガラス枠と、
遊技球を貯留する上皿を有し前記ガラス枠の下方にて前記収納枠に対して開閉自在な皿扉と、
遊技球を貯留する下皿を有し前記皿扉の下方にて前記収納枠に固着された下皿部材と、
前記収納枠の背面側に装着されて前記遊技盤の前面側に形成される遊技領域に放出された遊技球の挙動により入賞が成立した際に設定数の遊技球を賞球として排出する賞球払出装置と、
前記収納枠に設けられて前記賞球払出装置から排出された賞球を誘導する賞球排出通路とを備える遊技機において、
前記賞球排出通路に、前記側縁部の外側に配されて前記賞球払出装置から排出された賞球を前記収納枠の背面側から前面側へ導く横断部と、該横断部に接続され前記側縁部に沿って下降し且つ前面側を透明材で形成された誘導部とを設け、該横断部の一部を前記収納枠の背面側の前記賞球払出装置付近に突出形成してその上端を前記賞球払出装置から排出された前記賞球の入口となし、
脚部と腕部とからなる倒立Ｌ字状で前記誘導部を通過した賞球が流入する分配室と、
前記皿扉に設けられ、底面と３側面を有して上部および１側面が開口し、前記側面の開口で前記上皿への遊技球の出口となる上皿出口に連通し、前記皿扉を閉じた状態では前記上部の開口が前記腕部内に達して前記誘導部を通過して分配室に流入した賞球を受け容れる受球部材と、
前記上皿に遊技球が多量に貯留されて前記受球部材内までが遊技球で満たされたときに前記誘導部から前記分配室に放出されたが、該受球部材を満たしている賞球により該受球部材への進入を阻まれて前記脚部へ落下した賞球を前記脚部から流出させる下皿排出路と、
該下皿排出路の下方に位置して前記収納枠に設けられた傾斜面と、
前記下皿への遊技球の出口となる下皿出口に連通していて、前記傾斜面を転動してきた賞球が流入する下皿誘導路とを備え、
前記賞球排出通路は、前記突出部分を除いては前記収納枠の背面側には配されておらず、
前記分配室、前記傾斜面及び前記下皿誘導路が前記収納枠の前面側に設けられている
ことを特徴とする。
【０００８】
【作用】
請求項１記載の遊技機は、プラスチック製の収納枠を備えるが、その収納枠に設けられた賞球排出通路に、前記側縁部の外側に配されて賞球払出装置から排出された賞球を収納枠の背面側から前面側へ導く横断部と、該横断部に接続され前記側縁部に沿って下降し且つ前面側を透明材で形成された誘導部とを設け、該横断部の一部を前記収納枠の背面側の前記賞球払出装置付近に突出形成してその上端を前記賞球払出装置から排出された前記賞球の入口となし、賞球排出通路は、突出部分を除いては収納枠の背面側には配されていない構成としたので、制御基板などの部品配置の自由度が向上する。また、賞球排出のための通路を迂回して配線する必要もなく、フラットケーブルによる配線を広範囲で採用できるので、配線作業に要する工程、工数を削減できる。
【００１４】
【実施例】
次に、本発明の好適な一実施例を説明する。
図１は本発明の遊技機としてのパチンコ機１０の正面図であり、可変図柄表示装置１２、可変図柄表示装置１２を始動させる始動入賞口１４、大当たり時に開放される大入賞口１６、普通入賞口１８、風車２０、アウト球を排出するためのアウト穴２１等を有する周知の遊技盤２２を備えている。遊技盤２２の前面側は、ほぼ全体がプラスチック製のガラス枠２４に保持される二重の透明板２６で覆われており、遊技盤２２と透明板２６との間に遊技領域２８が形成されている。また、ガラス枠２４は、全体がプラスチック製の収納枠３０に開閉自在に装着されており、収納枠３０の上部にはいわゆる大当り状態が発生した際に点灯する大当りランプ３２が組み付けられている。また、収納枠３０は、上辺３４ａが木製で他の３辺がプラスチック製の外枠３４にヒンジ３６、３６を介して開閉自在に取り付けられており、錠３８を操作することにより、ヒンジ３６、３６を軸として開閉可能である。
【００１５】
収納枠３０には、ガラス枠２４の下方に、上皿４０を有する皿扉４２がヒンジ（図示略）を介して開閉自在に装着されている。上皿４０には、パチンコ機１０内部から排出される遊技球の出口となる上皿出口４４が開口している。この皿扉４２は、通常の使用時には右裏側にてロックされて閉状態に保持され、併せてガラス枠２４によって上辺部分を押さえられ開放を防止されている。したがって、皿扉４２を開くには、ガラス枠２４を開放し、さらに右裏側のロックを解除する必要がある。
【００１６】
また、図１および細部を省略した収納枠３０の斜視図である図２に示すように、収納枠３０には、皿扉４２（図２には示さない）の下方に下皿４６を有する下皿部材４８が固着されており、下皿４６には、パチンコ機１０内部から排出される遊技球の出口となる下皿出口５０が開口している。
【００１７】
図１に示すように、この下皿４６の底部には、スライド板５２が設けられており、スライド板５２をスライドさせて排出穴（図示略）を開放して遊技球を排出できる。下皿部材４８には複数の小孔からなるスピーカ面５４が設けられており、スピーカ面５４の裏側には遊技状態に応じて音声を発するスピーカ１３６（図１には示さない）が装着されている。
【００１８】
さらに図１および図２に示すように、下皿部材４８には、上皿４０から供給される遊技球を遊技領域２８に発射するための発射ソレノイド９６（図１、図２には示さない）を操作する発射ハンドル５６が設置されている。
次に、収納枠３０の構造について説明する。
【００１９】
図２、図３および図１０に示すように、収納枠３０の中央部には、ほぼ矩形の窓５８が設けられており、図２および図３に示すようにこの窓５８の外周に沿って内枠部６０が設けられている。また、図２、図３および図１０に示すように、収納枠３０の上辺に沿って、収納枠３０と一体成形された賞球タンク６２が設けられており、賞球タンク６２には、図示しない島からの遊技球供給路を介して賞球用の遊技球が供給される構造である。さらに、図２ないし図６に示すように、収納枠３０には、図１に示されるガラス枠２４および皿扉４２を収容、保持するための外枠部６４が形成されている。この外枠部６４の下辺は中央へ向かう傾斜面６６、６８で形成されており、両傾斜面６６、６８の中間には下皿出口５０（図１、図２、図６参照）に連通する下皿誘導路７０が設けられている。
【００２０】
図３に示すように、内枠部６０の左側縁部６０ａには、かまぼこ状の突起７２、７２が設けられている。また図示をしないが、左側縁部６０ａに対向している右側縁部６０ｂにも、突起７２、７２と同様の突起が設けられている。
図３ないし図７に示すように、窓５８と左側縁部６０ａとの間には段差７４が設けられ、図４および図７に示すように、窓５８と右側縁部６０ｂとの間には段差７４と同様の段差７６が設けられている。
【００２１】
図３ないし図７に示すように、窓５８の下辺５８ａの前面側には、下辺５８ａに対してほぼ直交する前壁７８が設けられている。図３、図５および図７に示すように、前壁７８には、左側縁部６０ａ側から右側縁部６０ｂ側に向かって傾斜する第１傾斜部８０および第１傾斜部８０とは逆に傾斜する第２傾斜部８２が設けられている。第１傾斜部８０の下曲面８０ａと第２傾斜部８２との間には、遊技球が通過可能な集合通路８４が形成されており、この集合通路８４の下方には、図７に示されるように入賞球計数装置８６を収容するための収容室８８が形成されている。
【００２２】
図９に示すように、入賞球計数装置８６は、集合通路８４側に開口する入口２０１を有する筒状の上端部２０３および同様に筒状の下端部２０５を側壁部２０７で連結した形状の球通路２０８を備えている。また側壁部２０７の中央部には相対向する１組の開口２０９、２１１が設けられ、これらの開口２０９、２１１にわたって近接スイッチ２１３が設置されている。また球通路２０８内には、上端部２０３にて軸支された一対の板部２１５、２１７、板部２１５、２１７の先端に設けられた球受部２１９とからなる揺動部材２２１が設置されている。この揺動部材２２１は、楔部材２２３を介して接続されているソレノイド２２５によって駆動されて、球通路２０８内で揺動可能である。楔部材２２３には、ソレノイド２２５を復帰させるためのばね２２７が装着されている。
【００２３】
こうした構成により、集合通路８４から入賞球計数装置８６へ導かれた遊技球は、球通路２０８内を落下して球受部２１９にて一旦停止される。ここで近接スイッチ２１３はオンとなる。近接スイッチ２１３の信号は、例えば主制御基板１３４に入力されて、賞球払出装置１２０を稼動させる等、所定の制御操作に使用される。次に、ソレノイド２２５の作動によって揺動部材２２１が矢印Ｂ方向に揺動させられると、遊技球は球受部２１９と球通路２０８との間に形成される空隙を通過して落下する。この際、次に続く遊技球があれば、この遊技球は楔部材２２３によって落下を阻止される。さらにソレノイド２２５の復帰に伴って楔部材２２３が後退すると、この遊技球は落下して球受部２１９上で停止し、上述のように近接スイッチ２１３が作動する。このようにして、入賞した遊技球は正確に１球づつ計数されて排出される。
【００２４】
図３、図５および図７に示すように、入賞球計数装置８６が配されている収容室８８の下方には、回収口８９が開口しており、この回収口８９は、島に設置されている回収路（図示略）に接続される。このため、入賞球計数装置８６で計数された遊技球は島へと回収されることになる。
【００２５】
第２傾斜部８２の下方はさらに前方に突出してレール取付部９０となっており、図３および図５に示すように、レール取付部９０の一部は凹陥部９２が設けられている。図４および図５に示すように、レール取付部９０には発射レール９４が取り付けられ、図５に示すように、凹陥部９２には、発射レール９４の端部に載置された遊技球を打撃するための発射ソレノイド９６が装着される。図４および図５に示すように、この発射ソレノイド９６はカバーボックス９８にて覆われる。
【００２６】
また、図３、図５、図７および図８に示すように、レール取付部９０と収容室８８との間には、遊技球が通過可能なアウト球排出路１００が設けられている。このアウト球排出路１００には、図８に示されるように近接スイッチ１０２が設置されており、この近接スイッチ１０２の出力信号によりアウト球排出路１００を通過する遊技球を計数することができる。また、アウト球排出路１００の出口側は回収口８９の上方に開口しており、アウト球排出路１００を通過した遊技球は、回収口８９から回収路へと排出されることになる。
【００２７】
このように、このパチンコ機１０では、近接スイッチ１０２をアウト球排出路１００に設置している。従来、アウト球をカウントするための近接スイッチ等のセンサ類は、島に設置された回収路に設けられていたが、このパチンコ機１０によれば、そのようなセンサ類を回収路に設置する必要はなくなる。また、従来、このようなセンサ類でアウト球を正確に検出するために、島とパチンコ機との接続構造や回収路の構造、寸法などに様々な制限を受けていたが、このパチンコ機１０によれば、かかる制限を受けないので、回収路自体の構造および島の構造等の自由度が向上すると共に、これらの構造の簡素化が可能となる。
【００２８】
図８に示すように、アウト球排出路１００の上方には、アウト球排出路１００とアウト球落下口１４０（図４、図５参照）とを接続する接続部材１０１ａ、１０１ｂが仕切り板１５２と一体に成形されて配されており、遊技盤２２のアウト穴２１からアウト球落下口１４０へ流出した遊技球を上述のアウト球排出路１００へと導くことができる。
【００２９】
一方、図３、図５、図６および図８に示すように、収容室８８を挟んでアウト球排出路１００と反対側に、脚部１０４ａと腕部１０４ｂとからなる倒立Ｌ字状の分配室１０４が設けられている。この分配室１０４下方から側方にかけて、Ｌ字状の溝として回収口８９に接続された玉抜き通路１０６が設けられている。この玉抜き通路１０６に連通する鉛直通路１０８が、内枠部６０の左側縁部６０ａに沿って設けられている。この鉛直通路１０８は、分配室１０４とも連通しており、図６および図８に示されるように、ダンパ１１０の切換操作によって分配室１０４（図６参照）または玉抜き通路１０６（図８参照）に、択一的に接続される。
【００３０】
図６に示すように、鉛直通路１０８は、収納枠３０の左側縁部６０ａの外側を通過して前面側から背面側に至る横断通路１１２に連通されている。図１０に示すように、この横断通路１１２は、収納枠３０の背面側に突出する入口１１４で開口している。
【００３１】
図１０および図１１に示すように、賞球タンク６２の下部には遊技球が流出可能な賞球流出口１１６が設けられており、賞球流出口１１６は、遊技球を整列させながら流下させるプラスチック製の賞球誘導樋１１８を介して、賞球払出装置１２０に接続されている。賞球払出装置１２０は、例えば特開平５−４２２４８号公報に記載されているように、ステッピングモータにて駆動されるフライトスクリュの回転によって、遊技球を賞球誘導樋１１８から導入した遊技球を入口１１４（図１１には示さない）に排出できる。
【００３２】
また、図１１に示すように、窓５８内に位置する遊技盤２２の背面側には、可変図柄表示装置１２の制御部１２ａが配されており、遊技盤２２の下部には、大入賞口１６他の入賞球を集合させるための入賞球集合樋１２２が装着されている。
【００３３】
図１０および図１１に示すように、収納枠３０には、交流２４Ｖ電源に接続される電源基板１２４、電源基板１２４とフラットケーブル１２６を介して接続された副制御基板１２８、副制御基板１２８とフラットケーブル１３０を介して接続され制御部１２ａとフラットケーブル１３２ａ、１３２ｂを介して接続されている主制御基板１３４が装着されており、これらがパチンコ機１０の電気的な部品の制御を司っている。また、図１１に示すように、収納枠３０の下部には、図１に示されるスピーカ面５４に対応する位置にスピーカ１３６が装着されている。
【００３４】
ここで収納枠３０の前面側の説明に戻ると、図３、図４および図５に示すように、内枠部６０の左側縁部６０ａおよび右側縁部６０ｂの下方には、一対の爪板１３８ａ、１３８ｂが設けられており、これら爪板１３８ａ、１３８ｂ間には透明プラスチック製の下縁部６０ｃが横設されている。この下縁部６０ｃは、左側縁部６０ａおよび右側縁部６０ｂと共に内枠部６０を構成している。このように構成される内枠部６０は遊技盤２２の外周形状にほぼ整合する形状で、内枠部６０内に遊技盤２２を収容、保持可能である。また、内枠部６０に収容された遊技盤２２は、下縁部６０ｃによって支承され、左側縁部６０ａおよび右側縁部６０ｂにより左右方向の移動を規制され、爪板１３８ａ、１３８ｂによって前方への移動を規制される。また、窓５８と内枠部６０との間に設けられている段差７４、７６により後方への移動を規制される。したがって、遊技盤２２は内枠部６０、爪板１３８ａ、１３８ｂおよび段差７４、７６によって、各方向への移動を規制され、所定の位置に保持されることになる。なお、この際左側縁部６０ａに設けられた突起７２、７２および右側縁部６０ｂの突起は、左側縁部６０ａおよび右側縁部６０ｂと遊技盤２２との摩擦力を強めるべく作用することになる。
【００３５】
図４および図８に示すように、内枠部６０の下縁部６０ｃの中央付近には、アウト球落下口１４０が開口している。
図４および図５に示すように、下縁部６０ｃは、下縁部６０ｃの下方に垂下された透明プラスチック製のカバー１４２と一体成形されており、カバー１４２は収納枠３０に着脱自在である。このカバー１４２には、長方形の上皿排出口１４４、屋根状で横向きおよび下向きの開口１４６ａ、１４６ｂ（図５参照）を備える下皿排出路１４６および点検口１４８（図５参照）が設けられており、点検口１４８には透明プラスチック製の蓋１５０が開閉自在に装着されている。この点検口１５０を開放すれば、入賞球計数装置８６とその付近の玉詰まりをつつき棒等で除去することができる。
【００３６】
図４および図７に示すように、収納枠３０には、段差７４、７６間にわたって、下縁部６０ｃに対してほぼ垂直に、仕切板１５２が装着されており、仕切板１５２と前壁７８との間に遊技球が通過可能な間隙１５４が形成されている。この間隙１５４内には、図１１に示される入賞球集合樋１２２の出口が配されており、入賞球集合樋１２２にて集められた遊技球が間隙１５４内に落下する構成である。
【００３７】
図４および図５に示すように、鉛直通路１０８の前面側は透明プラスチック製の通路カバー１５６にて覆われており、鉛直通路１０８からの遊技球の流出を防止している。
図４、図５および図６に示すように、分配室１０４はカバー１４２にて覆われているが、上皿排出口１４４が分配室１０４の腕部１０４ｂに対応する位置、下皿排出路１４６の横向き開口１４６ａが分配室１０４の脚部１０４ａに対応する位置となっている。また図６に示すように、皿扉４２に設けられた受球部材１６０が上皿排出口１４４を貫通して腕部１０４ｂ内に至っている。この受球部材１６０は、底面と３側面を有して上部および１側面が開口する部材で、この開口された側面側で上皿４０の上皿出口４４に連通している。
【００３８】
一方、脚部１０４ａには下皿排出路１４６の横向き開口１４６ａが接続されているが、図４および図６に示すように、この下皿排出路１４６の下方に、収納枠３０の傾斜面６６が位置している。
以上のように、賞球払出装置１２０から排出される遊技球を導くための賞球排出通路１８０は、入口１１４を備える横断通路１１２−鉛直通路１０８−ダンパ１１０−分配室１０４にて構成され、鉛直通路１０８は通路カバー１５６にてカバーされ分配室１０４は透明プラスチックのカバー１４２で覆われている。また、図示を省略しているが、鉛直通路１０８から分配室１０４に至る部分に対応する通路カバー１５６およびカバー１４２には、賞球排出通路１８０に沿って幅約２ｍｍのつつき溝が設けられており、このつつき溝を介して針金製などのつつき棒を賞球排出通路１８０内に挿入できるので、賞球排出通路１８０に玉詰まりがあっても、つつき棒等を使用して速やかに除去できる。しかも、その作業がパチンコ機１０の前面側のみでできるので、きわめて簡単である。
【００３９】
このような賞球排出通路１８０の構成（図６参照）により、賞球払出装置１２０から排出された遊技球は、入口１１４から横断通路１１２を経て収納枠３０の前面側に至り、鉛直通路１０８を落下し、ダンパ１１０を含む湾曲部分でほぼ水平方向に進路を曲げられ、分配室１０４の腕部１０４ｂ内に配された受球部材１６０内に放出される。さらに、遊技球は、受球部材１６０から上皿出口４４を経て上皿４０に排出される。また、上皿４０に遊技球が多量に貯留されて受球部材１６０内までが遊技球で満たされると、鉛直通路１０８を落下して分配室１０４内に放出された遊技球は、受球部材１６０を満たしている遊技球により受球部材１６０への進入を阻まれるので、脚部１０４ａへと落下する。
【００４０】
また、入賞により遊技盤２２の背面側に設けられた入賞球集合樋１２２を経て収納枠３０の前壁７８と仕切板１５２との間隙１５４に落下した遊技球は、図７に示されるように第１傾斜部８０、第２傾斜部８２上を転動し、集合通路８４から入賞球計数装置８６へ落下する。入賞球計数装置８６へ落下した遊技球は、上述のように計数されて１球ずつ排出される。排出された遊技球は、回収口８９から回収路へと排出される。
【００４１】
他方、遊技領域２８においてアウトとなった遊技球は、図８に示されるようにアウト穴２１→アウト球落下口１４０→接続部材１０１ａ、１０１ｂからアウト球排出路１００へ導かれ、近接スイッチ１０２によってカウントされた後、回収口８９から回収路へと排出される。また、図示を省略しているが、アウト球落下口１４０から回収口８９に至る部分に対応するカバー１４２には、遊技球の通路に沿って幅約２ｍｍのつつき溝が設けられており、このつつき溝を介して針金製などのつつき棒を遊技球の通路内に挿入できるので、アウト球落下口１４０から回収口８９に至る通路に玉詰まりがあっても、つつき棒等を使用して速やかに除去できる。しかも、その作業がパチンコ機１０の前面側のみでできるので、きわめて簡単である。
【００４２】
さらに、パチンコ機１０の入れ換え等に際して、賞球タンク６２に貯留されている遊技球を排出する場合には、図示しない玉抜スイッチをオンすると、ダンパ１１０が図示しないソレノイドにて駆動されて図６の状態から図８の状態に変位し、鉛直通路１０８と玉抜き通路１０６とが連通される。併せて賞球払出装置１２０が稼動して賞球タンク６２からの遊技球を排出する。排出された遊技球は横断通路１１２、鉛直通路１０８から玉抜き通路１０６を経て回収口８９から回収路へ排出される。また、図示を省略しているが、玉抜き通路１０６に対応するカバー１４２には、玉抜き通路１０６に沿って幅約２ｍｍのつつき溝が設けられており、このつつき溝を介して針金製などのつつき棒を玉抜き通路１０６内に挿入できるので、玉抜き通路１０６に玉詰まりがあっても、つつき棒等を使用して速やかに除去できる。しかも、その作業がパチンコ機１０の前面側のみでできるので、きわめて簡単である。
【００４３】
これら、遊技球を上皿４０、下皿４６または回収路へと排出するための通路が、賞球タンク６２〜横断通路１１２の部分を除いて、収納枠３０の前面側に配置されている。したがって、これらの通路１０６、１０８、１００、１０１ａ、１０１ｂ、分配室１０４、収容室８８、入賞球計数装置８６等に例えば玉詰まり等の何等かの障害があっても、その点検作業や復旧作業は収納枠３０の前面側で行うことが可能であり、従来のごとく収納枠３０の背面側を点検、復旧するためにパチンコ機１０全体を開く必要はない。
【００４４】
しかも、これら各通路１０６、１０８、１００、１０１ａ、１０１ｂ、分配室１０４、収容室８８等の前面側が透明プラスチック製の部材で覆われており、入賞球計数装置８６の球通路２０８等も透明プラスチック製である。したがって、これらの通路１０６、１０８、１００、１０１ａ、１０１ｂ、分配室１０４、収容室８８、入賞球計数装置８６等に例えば玉詰まり等の何等かの障害があっても、そのような箇所を視認により速やかに発見でき、点検作業や復旧作業を迅速に行うことができる。また、これらの通路１０６、１０８、１００、１０１ａ、１０１ｂ、分配室１０４に対応するカバー１４２や通路カバー１５６に設けられたつつき溝を介してつつき棒などを挿入可能であり、収容室８８の内部は点検口１４８を開放すればつつき棒等を挿入できるので、これらの通路１０６、１０８、１００、１０１ａ、１０１ｂ、分配室１０４、収容室８８、入賞球計数装置８６等に玉詰まりがあっても、つつき棒等を使用して速やかに除去できる。しかも、その作業がパチンコ機１０の前面側のみでできるので、きわめて簡単である。
【００４５】
各通路１０６、１０８、１００、１０１ａ、１０１ｂ、分配室１０４、収容室８８等が、溝状や凹陥状にて収納枠３０に一体成形されており、収納枠３０に通路カバー１５６、カバー１４２を装着するだけでこれらの通路等を完成できる。このため、各通路１０６、１０８、１００、１０１ａ、１０１ｂ、分配室１０４、収容室８８等の設置に要する工程、工数を削減できる。また、このように収納枠３０に遊技球の通路等が一体化されているので、パチンコ機１０の組立に要する工程、工数を削減できる。しかも、上述の説明および図示にて明かなように、このパチンコ機１０にては、従来の裏機構板に相当する部材は必要とされないので、パチンコ機１０の部品製造、組立に要する工程、工数の削減効果はきわめて大きい。
【００４６】
さらに、図１１にても明らかなように、賞球払出装置１２０付近を除いては、パチンコ機１０の背面側に遊技球用の通路が配されていない。このため、パチンコ機１０の背面側における制御基板などの部品配置の自由度が向上している。また、遊技球用の通路がないので、このような通路を迂回して配線する必要もなく、フラットケーブルによる配線を広範囲で採用できる。このため、配線作業に要する工程、工数を削減できる。
【００４７】
以上、実施例に従って、本発明について説明したが、本発明はこのような実施例に限定されるものではなく、本発明の要旨を逸脱しない範囲でさまざまに実施できることは言うまでもない。
【００４８】
【発明の効果】
以上説明したように、請求項１記載の遊技機では、賞球払出装置付近に配された横断部の突出部分を除いては収納枠の背面側には賞球排出通路が配されていないので、制御基板などの部品配置の自由度が向上する。また、賞球排出のための通路を迂回して配線する必要もなく、フラットケーブルによる配線を広範囲で採用できるので、配線作業に要する工程、工数を削減できる。
【図面の簡単な説明】
【図１】  実施例のパチンコ機の正面図である。
【図２】  実施例のパチンコ機に装着された収納枠の概略斜視図である。
【図３】  実施例のパチンコ機に装着された収納枠の斜視図である。
【図４】  実施例のパチンコ機における収納枠の下部の斜視図である。
【図５】  図４に対応する分解斜視図である。
【図６】  実施例のパチンコ機における賞球の排出経路の説明図である。
【図７】  実施例のパチンコ機における入賞球の回収経路の説明図である。
【図８】  実施例のパチンコ機における玉抜きの経路およびアウト球の回収経路の説明図である。
【図９】  実施例のパチンコ機に装着された入賞球計数装置付近の拡大説明図である。
【図１０】  実施例のパチンコ機において収納枠の背面側に装着される部品を説明する分解斜視図である。
【図１１】  実施例のパチンコ機の背面図である。
【符号の説明】
１０・・・パチンコ機（遊技機）、２１・・・アウト穴、２２・・・遊技盤、２４・・・ガラス枠、２６・・・透明板、２８・・・遊技領域、３０・・・収納枠、３４・・・外枠、４０・・・上皿、４２・・・皿扉、４４・・・上皿出口、４６・・・下皿、４８・・・下皿部材、５０・・・下皿出口、５８・・・窓、６０・・・内枠部、６０ａ・・・左側縁部（側縁部）、６０ｂ・・・右側縁部（側縁部）、６０ｃ・・・下縁部、６２・・・賞球タンク、７０・・・下皿誘導路、７８・・・前壁（入賞球回収通路）、８０・・・第１傾斜部（入賞球回収通路）、８２・・・第２傾斜部（入賞球回収通路）、８４・・・集合通路（入賞球回収通路）、８６・・・入賞球計数装置（入賞球計数機構）、８８・・・収容室（入賞球回収通路）、８９・・・回収口、１００・・・アウト球排出路（アウト球回収通路）、１０１ａ、１０１ｂ・・・接続部材（アウト球回収通路）、１０２・・・近接スイッチ、１０４・・・分配室（賞球排出通路）、１０４ａ・・・脚部（賞球排出通路）、１０４ｂ・・・腕部（賞球排出通路）、１０６・・・玉抜き通路、１０８・・・鉛直通路（賞球排出通路、誘導部）、１１０・・・ダンパ（賞球排出通路）、１１２・・・横断通路（賞球排出通路、横断部）、１１４・・・入口（賞球排出通路）、１１６・・・賞球流出口、１１８・・・賞球誘導樋、１２０・・・賞球払出装置、１２２・・・入賞球集合樋、１４０・・・アウト球落下口、１４２・・・カバー（透明材）、１４４・・・上皿排出口、１４６・・・下皿排出路、１５２・・・仕切板（透明材）、１５４・・・間隙（入賞球回収通路）、１５６・・・通路カバー（透明材）、１６０・・・受球部材、１８０・・・賞球排出通路、２０８・・・球通路（遊技球通過域、透明材）。
【図１】
0003654663.tif 000002
【図２】
0003654663.tif 000003
【図３】
0003654663.tif 000004
【図４】
0003654663.tif 000005
【図５】
0003654663.tif 000006
【図６】
0003654663.tif 000007
【図７】
0003654663.tif 000008
【図８】
0003654663.tif 000009
【図９】
0003654663.tif 000010
【図１０】
0003654663.tif 000011
【図１１】
0003654663.tif 000012